(57)【要約】【課題】ＢＤ−ＲＯＭのデータ領域に収録されたコンテンツをそのコンテンツが暗号化されていてもいなくても無駄な動作を行わずに再生できるようにする。【解決手段】記録媒体に記録されるべき又は記録されたデータの記録又は再生を制御するための複数の制御情報ユニットを有する制御情報領域とデータが記録されるべき又は記録されたデータ領域とを有する。少なくとも１つの前記制御情報ユニットは記録媒体に複写防止情報が存在していることを示す標識を有し、複写防止情報は複写防止装置に必要な情報である。【選択図】図４
2009087530.tif 000002
【特許請求の範囲】
【請求項１】
情報領域を有する記録媒体であって、
記録媒体内において、違法複写からデータを保護するために必要な複写防止情報の存在を示す標識を含むリードイン領域と、
コンテンツデータが記録され、再生されるデータ領域と
を備え、
前記リードイン領域は記録され又は再生されるコンテンツデータの記録と再生を制御するための複数の制御情報ユニットを含み、記録媒体に前記制御情報ユニットが順に記録されている順序における少なくとも最初の情報ユニットが前記標識を含み、かつ前記最初の情報ユニットがディスクのサイズと構造に関する情報を含むことを特徴とする記録媒体。
【請求項２】
前記複数の制御情報ユニットが前記リードイン領域にフェーズ変調されたウオーブル形態で記録されることを特徴とする請求項１記載の記録媒体。
【請求項３】
前記記録媒体が光ディスクであることを特徴とする請求項２記載の記録媒体。
【請求項４】
前記最初の情報ユニットのみが前記標識を含み、それに続く情報ユニットは前記標識を含まないことを特徴とする請求項３記載の記録媒体。
【請求項５】
前記複写防止情報が前記コンテンツデータを暗号化し／解読するためのキー値を含むことを特徴とする請求項１記載の記録媒体。
【請求項６】
前記複写防止情報が前記最初の情報ユニット以外の記録媒体の領域に繰り返し記録されることを特徴とする請求項５記載の記録媒体。
【請求項７】
前記最初の情報ユニット内の１バイトが前記複写防止情報を示す標識に割り当てられていることを特徴とする請求項５記載の記録媒体。
【請求項８】
前記標識が前記複写防止情報が存在しないことを示している場合、前記複写防止情報を記録する領域が「００」で満たされることを特徴とする請求項５記載の記録媒体。
【請求項９】
前記標識と前記複写防止情報が前記記録媒体の前記リードイン領域に記録され、前記複写防止情報が前記標識の後にあることを特徴とする請求項５記載の記録媒体。    
【請求項１０】
（ａ）記録媒体に記録され、再生されるデータの記録と再生を制御する複数の制御情報ユニットを生成するステップであって、前記制御情報ユニットは違法複写からデータを保護するために必要な複写防止情報が記録媒体内に存在することを示す標識を含む、前記ステップと、
（ｂ）前記複数の制御情報ユニットを前記記録媒体のリードイン領域に記録するステップと、
（ｃ）前記記録媒体のデータ領域にコンテンツデータを記録するステップとを
有し、
前記記録媒体に前記制御情報ユニットが順に記録されている順序における少なくとも最初の情報ユニットが前記標識を含み、かつ前記最初の情報ユニットがディスクのサイズと構造に関する情報を含むことを特徴とする記録媒体にデータを記録する方法。
【請求項１１】
前記記録媒体が光ディスクであることを特徴とする請求項１０記載の方法。
【請求項１２】
前記制御情報ユニットのそれぞれが繰り返し記録された情報を含むことを特徴とする請求項１１記載の方法。
【請求項１３】
前記標識が複写防止情報が存在することを示している場合、前記ステップ（ｃ）が複写防止情報のキー値を使用して、コンテンツデータをデータ領域に複写防止された状態で記録することを特徴とする請求項１０記載の方法。
【請求項１４】
前記ステップ（ｂ）は前記複写防止情報が存在することを示すために、前記第１情報ユニット内に１バイト以内で前記標識を記録することを特徴とする請求項１０記載の方法。
【請求項１５】
記録媒体からデータを再生する装置であって、
前記記録媒体のリードイン領域から、複写防止情報の存在を示す標識を含む複数の制御情報ユニットを読み出す読み出し部であって、前記複写防止情報は、データが違法に複写されるのを防止するために必要な情報で、前記複数の制御情報ユニットは、前記記録媒体に記録されたコンテンツデータの再生を制御するために必要な情報を含む、前記読み出し部と、
前記標識が前記複写防止情報が存在することを示している場合、前記複写防止情報を用いてのみ前記コンテンツデータが再生される一方、前記標識が前記記録媒体に前記複写防止情報が記録されていないことを示す場合、前記複写防止情報を検出する動作を行わずに直接前記コンテンツデータが再生されるように、前記標識に基づいて前記コンテンツデータの再生を制御するように構成された制御部と、
を有し、
記録媒体に前記制御情報ユニットが順に記録されている順序における少なくとも最初の情報ユニットが前記標識を含むことを特徴とする、装置。
【請求項１６】
前記記録媒体が光ディスクであることを特徴とする請求項１５記載の装置。
【請求項１７】
さらにＤ／Ａ変換器を有することを特徴とする請求項１５記載の装置。
【発明の詳細な説明】
【技術分野】
【０００１】
本発明は、複写防止を指示する情報を含むＢＤ−ＲＯＭ（Ｂｌｕ−ｒａｙ  Ｄｉｓｃ  ＲＯＭ）のような記録媒体と、その記録媒体にデータを形成し、記録し、再生する装置「及び方法、そして違法に複製された記録媒体の再生を制限する装置及び方法に関する。
【背景技術】
【０００２】
最近、高画質のビデオデータと高音質のオーディオデータを長時間記録することができる新しい高密度光ディスクである再記録可能なブルーレイディスク（ＢＤ−ＲＥ：Ｂｌｕ−ｒａｙ  Ｄｉｓｃ−Ｒｅｗｒｉｔａｂｌｅ）が開発されている。ＢＤ−ＲＥの規格が確定されれば、近い将来商業的に利用されるであろう。
【０００３】
ＢＤ−ＲＥは、図１に示したように、ディスクの内周側からクランピング領域、ＢＣＡ（Ｂｕｒｓｔ  Ｃｕｔｔｉｎｇ  Ａｒｅａ）領域、トランジション領域、そしてリードイン領域がこの順序通り存在し、ディスクの中間部と外周部に、データ領域とリードアウト領域がそれぞれ存在するディスク構造となっている。
【０００４】
リードイン領域には、第１ガード（Ｇｕａｒｄ  １）領域とＰＩＣ（Ｐｅｒｍａｎｅｎｔ  ｉｎｆｏｒｍａｔｉｏｎ  ＆  Ｃｏｎｔｒｏｌｄａｔａ）領域、第２ガード（Ｇｕａｒｄ  ２）領域、情報２（Ｉｎｆｏ  ２）領域、ＯＰＣ（Ｏｐｔｉｍｕｍ  Ｐｏｗｅｒ  Ｃａｌｉｂｒａｔｉｏｎ）領域などが区分して割り当てられている。第１ガード領域とＰＩＣ領域は、事前にデータがあらかじめ記録されている領域であり、、リードイン領域の残りの域と、データ領域、リードアウト領域は、新しいデータが再記録される領域である。
【０００５】
ＰＩＣ領域には、永久に保存されなければならないディスクの主要一般情報を記録する領域であって、その情報がトラックのウォーブル形状にＨＦＭ（Ｈｉｇｈ  Ｆｒｅｑｕｅｎｃｙ  Ｍｏｄｕｌａｔｅｄ）方式によりエンコーディングされて記録される。ＨＦＭグルーブ（ｇｒｏｏｖｅ）は高周波帯域信号で放射方向に変調して、充分な容量とデータレートで繰り返された情報のためのデータチャネルを形成する。ウォーブル形状へのデータエンコーディングは、図２に示したように、バイフェーズ変調（Ｂｉ−Ｐｈａｓｅ  Ｍｏｄｕｌａｔｅｄ）方式により変調され、そのようにしてデータが記録される。
【０００６】
この変調方式では、０のビットがビットセルのスタートで遷移するものとして表現される一方、１のビットはビットセルのスタートと中間で遷移されるものとして表現される。図２に示したように、変調したビットはグルーブの中心線からの片寄りによってディスク上に記録される。各ビットセルの長さは３６Ｔでなければならないが、このＴは再記録可能なデータ領域でのチャネルビットの長さに対応する。
【０００７】
ＢＤ−ＲＥの開発とともに、それに対応する再生専用ディスクである再生専用ブルーレイディスク（‘ＢＤ−ＲＯＭ’という）も開発されている。このディスクは図３に示したように、インナー領域、クランピング領域、トランジション領域、情報領域、リム領域を備えている。
【０００８】
情報領域内のデータ領域に記録されるＡ／Ｖストリームのメインデータを、無断複写を防止するための複写防止情報（ＣＰＩ：Ｃｏｐｙ  Ｐｒｏｔｅｃｔｉｏｎ  Ｉｎｆｏｒｍａｔｉｏｎ）により暗号化させて記録することができる。
【０００９】
情報領域内のＰＩＣ領域には、ディスクの種類のようなディスクに関する多様なディスク情報（ＤＩ）が記録され、データゾーンに暗号化したメインデータが記録された場合にはこれを解読するための情報である複写防止情報（ＣＰＩ）もここに記録される。
【００１０】
記録媒体を再生する光ディスク装置は、ディスク装着による初期サーボ動作遂行時、ＰＩＣ領域に記録された複写防止情報（ＣＰＩ）を検出した後、データ領域に記録されたメーンデータが暗号化していれば、その複写防止情報を利用して復号化して出力する。
【発明の開示】
【発明が解決しようとする課題】
【００１１】
しかし、ＢＤ−ＲＯＭのデータ領域に収録されたコンテンツを暗号化していず、ＰＩＣ領域に複写防止情報が記録されない場合にも、光ディスク装置は、初期サーボ動作遂行時、暗号化している場合を予想してＰＩＣ領域の複写防止情報を検出する一連の動作を必ず行う。このような予備的動作は実質的なデータ再生動作のスタートを遅延させることになる。また、あるデータが再記録ディスクすなわちＢＤ−ＲＥや記録可能ディスクすなわちＢＤ−ＷＯに記録されていて、そのデータの複写を防止するようになっていれば、そのデータが再生される時にも同様な問題を起こす。
【００１２】
さらに、複写防止情報が検出されない場合には、ディスクが違法な媒体であるためはじめから複写防止情報がないのか、あるいは合法媒体であるが複写が許容された媒体であるため複写防止情報がないのかを区別することができない。
【課題を解決するための手段】
【００１３】
本発明の例示的な実施態様は、媒体に記録されたコンテンツの再生のために、複写防止情報が必要なのか否かを指す複写防止指示情報を含む、ＢＤ−ＲＯＭのような高密度及び／または再生専用記録媒体のような記録媒体、そしてその記録媒体にデータを形成し、記録し、再生する方法と装置を提示する。
【００１４】
本発明の例示的な実施態様は、記録されたコンテンツを解読するための複写防止情報が存在しているか否かを指す、特定領域内の情報を含む、ＢＤ−ＲＯＭのような高密度及び／または再生専用記録媒体のような記録媒体、そしてその記録媒体にデータを形成し、記録し、再生する方法と装置を提示する。
【００１５】
本発明の例示的な実施態様では、ディスク情報内に複写防止情報が存在するか否かに関する情報を含む、ＢＤ−ＲＯＭのような高密度及び／または再生専用記録媒体のような記録媒体、そしてその記録媒体にデータを形成し、記録し、再生する方法と装置を提示する。
【００１６】
本発明の例示的な実施態様は、複写防止情報が複写防止情報フィールドのヘッダー情報として存在するか否かに関する情報を含む、ＢＤ−ＲＯＭのような高密度及び／または再生専用記録媒体のような記録媒体、そしてその記録媒体にデータを形成し、記録し、再生する方法と装置を提示する。
【００１７】
本発明の例示的な実施態様は、複写防止情報が存在しているか否かそして解読が必要か否かを決定するのに使用される複写防止指示情報を含む、ＢＤ−ＲＯＭのような高密度及び／または再生専用記録媒体のような記録媒体、そしてその記録媒体にデータを形成し、記録し、再生する方法と装置を提示する。
【００１８】
本発明の例示的な実施態様は、複写防止情報が存在しているか否かと解読が必要か否かを決定するのに使用される複写防止情報を含み、記録されたコンテンツが暗号化したか否かに関係がなくコンテンツ再生を直接開始するか否かを決定することに使われる複写防止指示情報を含む、ＢＤ−ＲＯＭのような高密度及び／または再生専用記録媒体のような記録媒体、そしてその記録媒体にデータを形成し、記録し、再生する方法と装置を提示する。
【００１９】
本発明の例示的な実施態様は、複写防止のための方法を提示する。本方法は、データを再生するために、そのデータの解読に用いるための複写防止情報を記録媒体が含んでいるか否かを指す複写防止指示情報を利用する過程を含み、その複写防止指示情報及び／または複写防止情報が記録媒体の領域にウォーブル形状のプリピット形態で記録される。
【００２０】
本発明の例示的な実施態様は、複写防止のための方法を提示する。本方法は、データの解読に用いるための複写防止情報を記録媒体が含んでいるか否かを指す複写防止指示情報を検出する過程と、検出された複写防止指示情報に基づいて、記録媒体がデータの解読に用いるための複写防止情報を含んでいればその複写防止情報を利用してデータを再生する一方、記録媒体がデータの解読に用いるための複写防止情報を含んでいなければ複写防止情報を利用せずにデータを直接再生する過程を含み、複写防止指示情報及び／または複写防止情報は記録媒体の領域にウォーブル形状のプリピット形態で記録される。
【００２１】
本発明の例示的な実施態様は、複写防止のための方法を提示する。本方法は、データの解読に用いるための複写防止情報を記録媒体が含んでいるか否かを指す複写防止指示情報を利用する過程を含み、複写防止指示情報及び／または複写防止情報が記録媒体の領域にウォーブル形状のプリピット形態で記録される。
【００２２】
本発明の例示的な実施態様では、複写防止のための装置を提示する。本装置は、複写防止指示情報と複写防止情報に基づいてデータを再生するために、データの解読に用いるための複写防止情報を記録媒体が含んでいるか否かを指す複写防止指示情報を利用し、、複写防止指示情報及び／または複写防止情報は記録媒体の領域にウォーブル形状のプリピット形態で記録される。
【００２３】
本発明の例示的な実施態様では、複写防止のための装置を提示する。本装置は、データの解読に用いるための複写防止情報を記録媒体が含んでいるか否かを指す複写防止指示情報を含む、記録媒体に記録されている信号を検出する検出器と、検出された複写防止指示情報に基づいて、記録媒体がデータの解読に用いるための複写防止情報を含んでいれば複写防止情報を利用してデータを再生する一方、記録媒体がデータの解読に用いるための複写防止情報を含んでいなければ複写防止情報を利用せずにデータを直接再生する信号処理器を含み、複写防止指示情報及び／または複写防止情報は記録媒体の領域にウォーブル形状のプリピット形態で記録される。
【発明を実施するための最良の形態】
【００２４】
以下、本発明による記録媒体と、その記録媒体への複写防止情報の形成、記録、再生方法と装置の望ましい実施形態に対して、添付した図面を参照しながら詳細に説明する。
【００２５】
本発明の例示的な実施形態による再生専用ブルーレイディスク（ＢＤ−ＲＯＭ）は、図３を参照しながら前述したように、インナー領域、クランピング領域、トランジション領域、情報領域、リム領域からなるディスク構造を有する。
【００２６】
情報領域内に割り当てられているＰＩＣ領域には、図４に示したように、ディスク一般情報であるディスク情報が記録されて共に、データ領域に暗号化して記録されたメインデータ、例えばＡ／Ｖデータストリームを解読するのに必要な複写防止情報（ＣＰＩ）が含まれて記録されることができる。
【００２７】
この複写防止情報は、データ領域にメインデータが暗号化されずに記録されている場合には、ＰＩＣ領域に記録される必要はない。
【００２８】
そのため、ＰＩＣ領域に複写防止情報が記録されていているか否かを示すためのフラッグ（標識）をＰＩＣ領域に記録されるディスク情報に含めて記録して置く。複写防止情報存否を示すフラッグ（ＣＰＩ_ｒｅｃ_Ｆｌａｇ）は１バイトの記録サイズでよい。
【００２９】
複写防止情報存否フラッグは、図５に示したように、ディスク情報に確保されている予備空間（Ｒｅｓｅｒｖｅｄ）に１バイトを割り当てて記録される。
【００３０】
ＰＩＣ領域にディスク情報を繰り返して数回記録することができるが、前記フラッグバイトは、ＰＩＣ領域に反復記録される複数のディスク情報のうち１番目のディスク情報にだけ記録しておけばよい。
【００３１】
複写防止情報存否フラッグ（ＣＰＩ_ｒｅｃ_Ｆｌａｇ）を、図６に示したように、複写防止情報が記録されるＰＩＣ領域の内側に割り当てられた他の領域、例えばＢＣＡ（Ｂｕｒｓｔ  Ｃｕｔｔｉｎｇ  Ａｒｅａ）領域内に記録することもできる。
【００３２】
複写防止情報を、その存否を示すフラッグと共に、一般的にデータが記録される直列ピット形態ではないウォーブルピット形態でエンコーディングして記録することもできる。そのために必要なトラック区間だけピットをウォーブル形態で形成させることができる。また、複写防止情報をエンコーディングして、ウォーブルピットと直列ピットを交番的にまたは間歇的にＰＩＣ領域に記録することができる。他には、ＰＩＣ領域以外の他の領域に選択的にまたは反復的に複写防止情報を記録することができる。複写防止情報は、ＢＤ−ＲＥのようなＨＦＭグルーブウォーブル方法により記録される。
【００３３】
複写防止情報はデータ領域に記録されるメインデータを暗号化するためのキー値を含む。
【００３４】
図７はデータがバイフェーズ変調方式でウォーブルピットの形態にエンコーディングされて記録された情報と、そのデータを検出する例を図示したものである。図７は、‘０１０１’の値が、ウォーブルピットのウォーブル形態と共に、バイフェーズ変調形態、例えばバイフェーズ変調ＨＦＭグルーブでエンコーディングされた例である。図７のウォーブルピットの記録例では、一ビットの値が６個の３Ｔ信号（マーク）が記録された３６Ｔ（マークとスペースを含む）で構成され、‘１’を示す６個のピット列と‘０’を示す６個のピット列の左右遷移は互いに反対に構成されている。
【００３５】
図７に示したように、バイフェーズ変調による構造は図２に例示された構造と異なる。すなわち、図２の方法は、ビットセルのスタートの遷移で表現される０のビットと、ビットセルのスタートと中間の遷移で表現される１のビットを有するが、図７の方法は、ローのスタートと中間でハイへの遷移で表現される０のビットと、その反対方向への遷移で表現される１のビットを有する。ビットの組合せはウォーブルピットで記録される情報を検出するためのデータを構成する。ウォーブルピットは複写防止情報、例えば、図４Ａないし図４Ｆに示した記録媒体のデータ領域に記録されたメインデータを解読するためのキーデータであってよい。
【００３６】
すなわち、ウォーブルピットデータは、バイフェーズ変調データが検出される時だけまたは正常に再生される時だけ再生され、または検出されることができる。そして、また、正常に検出され、または再生されたバイフェーズ変調データを用いて複写防止のためのウォーブルピットデータを再生したり検出する時だけメインデータの再生または解読が可能である。
【００３７】
情報がピットで記録される時、同一のピットを繰り返えさないで、入力情報によって変調した異なる長さ（２Ｔ−８Ｔ）で記録することができる。しかし、このような場合に、データをウォーブルピットのウォーブル形態にエンコーディングするために、ピットシーケンス（すなわち、フェーズ）の位置がほぼ１８Ｔごとににシフトされる。
【００３８】
そのような方式で記録されたウォーブルピットから反射された反射光は４分割光受信素子１３−１６により光電変換させられる。
【００３９】
図７に例示されたように、光電変換された電気的信号Ｅａ、Ｅｂ、Ｅｃ、Ｅｄは通常のプッシュプルトラック制御のための回路により増幅される。さらに詳細には、トラックの左側と右側信号Ｅａ＋Ｅｂ、Ｅｃ＋Ｅｄがそれぞれの増幅器１０、１１により増幅されて、左右信号の差信号５０１（（Ｅａ＋Ｅｂ）−（Ｅｃ＋Ｅｄ））が差動増幅器１２により出力される。
【００４０】
差信号５０１を特定基準レベルと比較して二進信号に変換させればウォーブルピットにエンコーディングされたデータを得ることができる。
【００４１】
ウォーブルピットのウォーブル形態から検出された信号は外部で利用できないので、ＢＤ−ＲＯＭから再生されるデータを他記録媒体に複写してもその複写されたデータの再生は不可能である。
【００４２】
ウォーブル形態で記録する代わりに、法的権限を有する製造社の間で約束された他の方式によってデータをＰＩＣ領域に記録して、それを検出する方式を選ぶようにすれば、不法製造業者がＢＤ−ＲＯＭを複製するのがより困難になる。
【００４３】
図８はディスク記録媒体を再生する光ディスク装置を概括的に示したものであって、光ピックアップ１７、信号処理及びサーボ制御を遂行するＶＤＰ（Ｖｉｄｅｏ  Ｄｉｓｃ  Ｐｌａｙ）システム１８、そしてＤ／Ａ変換器１９などを含むが、この装置は図９と結合して説明された複写防止情報があるか無いかに応じて再生過程を実行する。
【００４４】
ディスク装置のＶＤＰシステム１８は、装着された（Ｓ１０）ＢＤ−ＲＯＭのＰＩＣ領域に記録されたまたはウォーブルピットに記録されたディスク情報のうち複写防止情報の存否を示すフラッグ（ＣＰＩ_ｒｅｃ_Ｆｌａｇ）を検出（Ｓ１１）したり、またはＢＤ−ＲＯＭのＢＣＡ領域に記録されたフラッグを検出（Ｓ１１）して、複写防止情報が記録されているかを判別する（Ｓ１２）。
【００４５】
フラッグが検出されるとその値を確認する（Ｓ１３）。その値が複写防止情報が記録されていることを示す場合、光ディスク装置のＶＤＰシステム１８は、ＰＩＣ領域に記録されたまたはウォーブルピットにエンコーディングされている複写防止情報を検出する動作を実施（Ｓ１４）した後、その複写防止情報を利用して、データ領域に記録された暗号化データを解読及び再生する一連のデータ再生動作を遂行（Ｓ１５）する。
【００４６】
反面、フラッグの値が、複写防止情報が記録されていないことを示す場合または複写防止存否フラッグが検出されない場合、ＶＤＰシステム１８は、ＰＩＣ領域に記録されていない複写防止情報を検出しようとする不要な動作を省略して、データ領域に記録されたコンテンツを読んで出力する動作をすぐ遂行する（Ｓ２０）。
【００４７】
複写防止情報存否フラッグは図５の例示的な実施形態のようにディスク情報に含める代わりに、それを複写防止情報と共にＰＩＣ領域に記録することもできる。
【００４８】
図１０はその例示的な実施形態である。すなわち、図１０の例示的な実施形態では、複写防止情報存否フラッグ（ＣＰＩ_ｒｅｃ_Ｆｌａｇ）を複写防止情報（ＣＰＩ）フィールドのヘッダー情報に記録する。
【００４９】
複写防止情報存否フラッグは１バイトの記録サイズで良い。その値が'００００  ００００’の場合には、複写防止情報が記録されていないことを（この場合にはそれに続く複写防止情報フィールドにすべて‘００’の値が記録される）、'００００  １１１１’の場合には、複写防止情報が記録されていることを示すようにすることができる。
【００５０】
他の例示的な実施形態では、複写防止情報存否フラッグをヘッダー情報に有する複写防止情報は、ＰＩＣ領域以外の他の特定記録領域、例えば、ＢＣＡ領域等のような領域内に記録されることもできる。
【００５１】
そして、複写防止情報存否フラッグをヘッダーに有する複写防止情報はＰＩＣ領域内に記録されるディスク情報の一フィールドで記録されても良く、またディスク情報とは別の構造で記録されることもできる。
【００５２】
図１１は複写防止情報がディスク情報とは別に区分されてＰＩＣ領域に記録される例示的な実施形態を示したものである。
【００５３】
図１１の例示的な実施形態においても、複写防止情報は複写防止情報存否フラッグをヘッダーに有し、フラッグの値が'００００  ００００’の場合には、複写防止情報が記録されていないことを（この場合にはそれに続く複写防止情報フィールドがすべて‘００’の値で記録される）、'００００  １１１１’の場合には、複写防止情報が記録されていることを示す。
【００５４】
以上説明した本発明の例示的な実施形態による高密度再生専用記録媒体と、その記録媒体の複写防止情報記録／再生方法は、高密度再生専用ディスクに収録されたコンテンツの再生を、それが暗号化されていない場合には迅速に行なうようにして、暗号化されている場合には解読情報をそのディスクから読み出して正当に再生できるようにする。
【００５５】
また、暗号化したデータの解読に関する情報は、複写が難しいウォーブルピットのような形態で記録すれば高密度再生専用ディスクに収録されたコンテンツの違法な複製を防止することができる。
【００５６】
以上、前述した本発明の望ましい実施形態は、例示の目的のために開示されたものであって、当業者ならば、添付された特許請求範囲に開示された本発明の技術的思想とその技術的範囲内で、また他の多様な実施形態を改良、変更、代替または付加などが可能である。
【図面の簡単な説明】
【００５７】
【図１】従来の再記録可能なブルーレイディスク（ＢＤ−ＲＥ）のディスク構造を示したものである。
【図２】再記録可能なブルーレイディスクのＰＩＣ領域に形成された高周波変調（ＨＦＭ）グルーブを示したものである。
【図３】本発明の例示的な実施形態で再生専用ブルーレイディスク（ＢＤ−ＲＯＭ）に割り当てられている各領域を示したものである。
【図４】本発明の例示的な一実施形態によって複写防止情報の存否を示す情報がブルーレイディスクのＰＩＣ領域に記録されている実施形態を示したものである。
【図５】本発明の例示的な一実施形態によって、複写防止情報存否フラッグを含む、高密度ブルーレイディスクに記録管理されるディスク情報のフィールドを示したものである。
【図６】本発明によって複写防止情報の存否を示す情報がブルーレイディスクのＢＣＡ領域に記録されている例示的な実施形態を示したものである。
【図７】本発明の例示的な実施形態によってウォーブルピットにエンコーディングされたデータを検出する過程の例を示したものである。
【図８】本発明の例示的な一実施形態が適用された高密度ブルーレイディスクを再生できる光ディスク装置の構成を概略的に示したのである。
【図９】本発明の例示的な実施形態による高密度ブルーレイ光ディスクを再生する過程を示したものである。
【図１０】本発明の例示的な実施形態によって複写防止情報の存否を示す情報がブルーレイディスクの記録されている例をそれぞれ示したものである。
【図１１】本発明の例示的な実施形態によって複写防止情報の存否を示す情報がブルーレイディスクの記録されている例をそれぞれ示したものである。
【符号の説明】
【００５８】
１０：増幅器、１１：増幅器、１２：差動増幅器、１３−１６：光受信素子
【図１】
2009087530.tif 000003
【図２】
2009087530.tif 000004
【図３】
2009087530.tif 000005
【図４】
2009087530.tif 000006
【図５】
2009087530.tif 000007
【図６】
2009087530.tif 000008
【図７】
2009087530.tif 000009
【図８】
2009087530.tif 000010
【図９】
2009087530.tif 000011
【図１０】
2009087530.tif 000012
【図１１】
2009087530.tif 000013